(57)【特許請求の範囲】
【請求項１】
制御部を備え、複数の機器を制御する制御端末装置であって、
前記制御部は、
前記複数の機器の一つであって、前記制御端末装置のユーザによって指定された機器である第１機器に対してアカウント情報を登録する第１手段、
前記第１機器に対するアカウント情報の登録後、前記複数の機器のうち、前記ユーザによって指定されておらず且つ該アカウント情報が登録されていない他の機器を検索する第２手段、
前記検索された機器に対して前記アカウント情報を登録する第３手段、
を実行する制御端末装置。
【請求項２】
前記アカウント情報は、ネットワーク上のサーバにアクセスするためのアカウント情報であり、
前記第２手段は、前記サーバにアクセスする機能を有し、且つ、前記アカウント情報が登録されていない機器を検索する手段である
請求項１に記載の制御端末装置。
【請求項３】
前記機器は、オーディオ信号を入力してこれを放音するオーディオ機器であり、前記サーバは、前記オーディオ機器にオーディオ信号を供給する楽曲配信サーバである請求項２に記載の制御端末装置。
【請求項４】
表示部を更に備え、
前記第２手段は、検索された機器を前記表示部に表示する手段を含み、
前記第３手段は、表示された機器のうち、前記ユーザの操作によって選択されたものに対して前記アカウント情報の登録を行う
請求項１乃至請求項３のいずれかに記載の制御端末装置。
【請求項５】
前記機器は、複数のアカウント情報を登録可能であり、
前記第２手段は、既にアカウント情報が登録されているが、前記第１機器に登録されたアカウント情報が未登録のものも検索対象とする
請求項１乃至請求項４のいずれかに記載の制御端末装置。
【請求項６】
前記アカウント情報が入力される操作部、入力されたアカウント情報を一時記憶するバッファを更に備え、
前記制御部は、
前記第１手段の前に、前記操作部から入力されたアカウント情報を前記バッファに一時記憶し、
前記第３手段の実行ののち、前記バッファから前記アカウント情報を消去する
請求項１ないし請求項５のいずれかに記載の制御端末装置。
【請求項７】
複数の機器を制御する制御端末装置が、
前記複数の機器の一つであって、前記制御端末装置のユーザによって指定された機器である第１機器に対してアカウント情報を登録する第１手順、
前記第１機器に対するアカウント情報の登録後、前記複数の機器のうち、前記ユーザによって指定されておらず且つ該アカウント情報が登録されていない他の機器を検索する第２手順、
前記検索された機器に対して前記アカウント情報を登録する第３手順、
を実行する機器制御方法。
【請求項８】
前記アカウント情報は、ネットワーク上のサーバにアクセスするためのアカウント情報であり、
前記第２手順は、前記サーバにアクセスする機能を有し、且つ、前記アカウント情報が登録されていない機器を検索する
請求項７に記載の機器制御方法。
【請求項９】
前記機器は、オーディオ信号を入力してこれを放音するオーディオ機器であり、前記サーバは、前記オーディオ機器にオーディオ信号を供給する楽曲配信サーバである請求項８に記載の機器制御方法。
【請求項１０】
前記第２手順は、検索された機器を表示部に表示する手順を含み、
前記第３手順は、表示された機器のうち、前記ユーザの操作によって選択されたものに対して前記アカウント情報の登録を行う
請求項７乃至請求項９のいずれかに記載の機器制御方法。
【請求項１１】
前記機器は、複数のアカウント情報を登録可能であり、
前記第２手順は、既にアカウント情報が登録されているが、前記第１機器に登録されたアカウント情報が未登録のものも検索対象とする
請求項７乃至請求項１０のいずれかに記載の機器制御方法。
【請求項１２】
前記制御端末装置は、アカウント情報が入力される操作部、入力されたアカウント情報を一時記憶するバッファを備えており、
前記第１手順の前に、前記操作部から入力されたアカウント情報を前記バッファに一時記憶し、
前記第３手順ののち、前記バッファから前記アカウント情報を消去する
請求項７ないし請求項１１のいずれかに記載の機器制御方法。
【発明の詳細な説明】
【技術分野】
【０００１】
この発明は、複数の機器を制御し、各機器に外部サービス利用のアカウント情報を登録する制御端末装置に関する。
【背景技術】
【０００２】
近年のオーディオシステムでは、リビングルームや寝室などの各部屋（エリア）に配置された複数のオーディオ機器（再生デバイス）がネットワーク（特に無線ネットワーク）に接続され、携帯端末装置によって各オーディオ機器のコンテンツ再生などが制御されるシステムがある（たとえば、特許文献１参照）。
【０００３】
このようなシステムで再生されるコンテンツには、ＤＶＤなどのメディアのほか、インターネットなどのネットワークを介して提供される楽曲配信サービスのコンテンツがある。
【先行技術文献】
【特許文献】
【０００４】
【特許文献１】特開２０１３−２５１５９４号公報
【発明の開示】
【発明が解決しようとする課題】
【０００５】
オーディオ機器が、楽曲配信サービスの配信サーバからコンテンツをストリーミングする場合、オーディオ機器にはその楽曲配信サービスのアカウント情報が登録されている必要がある。このアカウントの登録は、ユーザが、スマートフォンなどの制御端末のアプリケーションプログラムを起動して行うのが一般的である。しかしながら、オーディオシステムには複数のオーディオ機器が含まれるため、各オーディオ機器にそれぞれアカウント情報を登録するのは面倒であった。
【０００６】
そこで、本発明の目的は、複数の機器を制御する制御端末において、複数の機器に対するアカウント情報の登録を容易化することにある。
【課題を解決するための手段】
【０００７】
この発明の制御端末装置は、複数の機器を制御する制御端末装置であって、制御部を備える。制御部は、複数の機器の一つであって、制御端末装置のユーザによって指定された機器である第１機器に対してアカウント情報を登録する第１手段、第１機器に対するアカウント情報の登録後、複数の機器のうちユーザによって指定されておらず且つアカウント情報が登録されていない他の機器を検索する第２手段、検索された機器に対してアカウント情報を登録する第３手段を実行する。
この発明の機器制御方法は、複数の機器を制御する制御端末装置が、複数の機器の一つであって、制御端末装置のユーザによって指定された機器である第１機器に対してアカウント情報を登録する第１手順、第１機器に対するアカウント情報の登録後、複数の機器のうちユーザによって指定されておらず且つアカウント情報が登録されていない他の機器を検索する第２手順、および、検索された機器に対して前記アカウント情報を登録する第３手順を実行することを特徴とする。
【０００８】
上記発明において、アカウント情報がネットワーク上のサーバにアクセスするためのアカウント情報であってもよく、第２手段（手順）が、サーバにアクセスする機能を有し且つアカウント情報が登録されていない機器を検索してもよい。
【０００９】
上記発明において、機器がオーディオ信号を入力してこれを放音するオーディオ機器であり、サーバがオーディオ機器にオーディオ信号を供給する楽曲配信サーバであってもよい。
【００１０】
上記発明において、第２手段（手順）が、検索された機器を制御端末装置に設けられた表示部に表示する手段を含み、第３手段（手順）が、表示された機器のうちユーザの操作によって選択されたものに対してアカウント情報の登録を行うものであってもよい。
【００１１】
上記発明において、各機器が複数のアカウント情報を登録可能であって、第２手段（手順）が、既にアカウント情報が登録されているが第１手段（手順）で登録されたアカウント情報が未登録のものも検索対象としてもよい。
【００１２】
上記発明において、制御端末装置は、アカウント情報が入力される操作部、入力されたアカウント情報を一時記憶するバッファを更に備え、第１手段（手順）の前に、操作部から入力されたアカウント情報を前記バッファに一時記憶し、第３手段（手順）ののち、バッファからアカウント情報を消去してもよい。
【発明の効果】
【００１３】
この発明によれば、複数の機器を制御する制御端末において、複数の機器に対するアカウント情報の登録が容易になる。
【図面の簡単な説明】
【００１４】
【図１】この発明が適用されるオーディオシステムの構成図
【図２】この発明が適用され、コントローラとして機能する携帯電話機のブロック図
【図３】この発明が適用されるオーディオ機器のブロック図
【図４】ホスト機器およびコントローラに設けられるシステム管理テーブルの例を示す図
【図５】コントローラに設けられるオーディオ制御テーブルの例を示す図
【図６】オーディオ機器に設けられるサービスアカウントテーブルの例を示す図
【図７】携帯電話機の制御部（コントローラ）の動作を示すフローチャート
【図８】コントローラの画面表示の一例を示す図
【図９】コントローラの画面表示の一例を示す図
【図１０】オーディオ機器の制御部の動作を示すフローチャート
【図１１】コントローラおよびオーディオ機器による楽曲配信サービスを用いた楽曲再生の手順を示す図
【発明を実施するための形態】
【００１５】
図１は、本発明が適用されるオーディオシステムの構成を示す図である。オーディオシステム１０は、有線ＬＡＮ２およびアクセスポイント（外部アクセスポイント）３を含むネットワーク９で接続された複数のオーディオ機器４（４−１〜４−６）、および、コントローラ１として機能する多機能携帯電話機（携帯端末装置）１を有している。各オーディオ機器４は、ネットワーク９を介して相互にオーディオ信号の送受信を行う。コントローラ１は、ネットワーク９を介してオーディオ機器４に対してコマンドメッセージを送信する。
【００１６】
オーディオシステム１０を構成する各オーディオ機器４は、有線ＬＡＮ機能および２つの無線ＬＡＮ機能を有している。オーディオ機器４は、２つの無線ＬＡＮ機能の一方を用いてアクセスポイントを起動することができる。オーディオ機器４によって起動されたアクセスポイントは内部アクセスポイント４Ａと呼ばれる。内部アクセスポイント４Ａには、下位のオーディオ機器４が接続される。内部アクセスポイント４Ａは、通常はステルスモードで動作しており、他の機器にその存在を知られにくいようになっている。もう一方の無線ＬＡＮ機能は、無線ＬＡＮの子機として機能し、上位のオーディオ機器４の内部アクセスポイント４Ａ、または、外部アクセスポイント３に接続される。
【００１７】
有線ＬＡＮ２にはアクセスポイント（外部アクセスポイント）３が接続されている。オーディオ機器４−１は有線ＬＡＮ２にケーブルで接続されている。オーディオ機器４−２，４−３は、上位のオーディオ機器４−１の内部アクセスポイント４Ａ−１に無線ＬＡＮで接続されている。オーディオ機器４−４は、上位のオーディオ機器４−２の内部アクセスポイント４Ａ−２に無線ＬＡＮで接続されている。また、オーディオ機器４−５は、上位のオーディオ機器４−３の内部アクセスポイント４Ａ−３に無線ＬＡＮで接続されている。オーディオ機器４−６は、外部アクセスポイント３に接続されている。
【００１８】
この実施形態において、ネットワーク９は、有線ＬＡＮ２、および、外部アクセスポイント３、内部アクセスポイント４Ａを含む無線ＬＡＮで構成される。有線ＬＡＮ２は、たとえばＥｔｈｅｒｎｅｔ（登録商標：ＩＥＥＥ８０２．３）が用いられればよく、無線ＬＡＮは、Ｗｉ−Ｆｉ（ＩＥＥＥ８０２．１１ｇ）が用いられればよい。また、ネットワーク９には、有線ＬＡＮ２からゲートウェイ７およびインターネット５経由で、楽曲配信サービスの配信サーバ６が接続されている。配信サーバ６は、オーディオ機器４に楽曲データを配信する。図１には、配信サーバ６を１つのみ記載しているが、複数の楽曲配信サービスのそれぞれに対応して複数の配信サーバ６が存在していてもよい。配信サーバ６によって配信される楽曲データのファイル形式は、例えば、ＭＰ３、ＷＡＶ、ＳｏｕｎｄＶＱ（登録商標）、ＷＭＡ（登録商標）、ＡＡＣなどである。
【００１９】
各オーディオ機器４は、有線ＬＡＮ２に対する接続の形態に応じてルート機器、ノード機器、リーフ機器、および、ブランチ機器と呼ばれる。ルート機器は、有線ＬＡＮ２に直接（ケーブルで）接続されている最上位の機器であり、図１においてオーディオ機器４−１がルート機器である。ルート機器は、オーディオシステム１０の構築時に最初に登録されたオーディオ機器であり、オーディオシステム１０の基点となる。ルート機器は、下位のオーディオ機器４をネットワークに接続してオーディオシステム１０に参加させるための内部アクセスポイント４Ａを起動する。ルート機器以下に接続されているオーディオ機器４（ノード機器、リーフ機器）で再生される音楽情報は全てここを経由して送信されることになる。
【００２０】
ノード機器は、無線ＬＡＮによってルート機器（ルート機器の内部アクセスポイント４Ａ）に接続されている中位の機器であり、図１においてオーディオ機器４−２，４−３がノード機器である。ノード機器は、下位のオーディオ機器４をネットワークに接続してオーディオシステム１０に参加させるための内部アクセスポイント４Ａを起動する。ノード機器以下に接続されているオーディオ機器４（リーフ機器）で再生される音楽情報はここを経由して送信されることになる。
【００２１】
リーフ機器は、無線ＬＡＮによってノード機器（ノード機器の内部アクセスポイント４Ａ）に接続されている下位の機器であり、図１においてオーディオ機器４−４，４−５がリーフ機器である。なお、リーフ機器は、内部アクセスポイント４Ａを起動しないが、起動するようにしてもよい。
【００２２】
ブランチ機器は、ルート機器を頂点とするツリーとは別に外部アクセスポイント３に無線ＬＡＮで接続され有線ＬＡＮ２を経由してオーディオシステム１０内の他のオーディオ機器４と通信するオーディオ機器４であり、図１においては、オーディオ機器４−６がブランチ機器である。なお、ブランチ機器は、内部アクセスポイント４Ａを起動しないが、起動するようにしてもよい。
【００２３】
このオーディオシステムでは、高品質のオーディオ信号の伝送のため、ルート機器には２台までのノード機器の接続が許可される。また、各ノード機器には２台までのリーフ機器の接続が許可される。また、内部アクセスポイント４Ａを用いた接続の階層は、ルート機器−ノード機器−リーフ機器の３階層までとする。したがって、ルート機器を頂点とする無線ＬＡＮのツリーにより、ルート機器を含めて７台までのオーディオ機器を接続することができる。図1に示したツリーには、５台のオーディオ機器４（４−１〜４−５）が接続されている。また、ブランチ機器の台数に制限はないが、コントローラ１の制御対象としては、オーディオシステム１０全体でオーディオ機器４の台数が１０台までに制限される。ただし本発明において、ツリーの階層の数、各オーディオ機器４に接続可能な下位の機器の台数などの最大数は、この実施形態に限定されない。
【００２４】
携帯電話機１は、オーディオシステム制御プログラム４５（図２参照）が起動されることによりオーディオシステムコントローラ（以下、コントローラ）１として機能する。携帯電話機１（コントローラ１）は、オーディオシステム１０に所属する各オーディオ機器４とネットワーク９を介して通信する。コントローラ１は、この通信により、オーディオシステム１０の各オーディオ機器４−１〜４−６で再生するオーディオソース（たとえば、どのオーディオ機器４でどの楽曲を再生するか、どの楽曲をどのオーディオ機器４に配信するかなど）やその音量などを統括制御する。また、各オーディオ機器４は、ネットワーク９を介して他のオーディオ機器４と通信し、相互にオーディオ信号を送受信する。
【００２５】
次に、図２のブロック図を参照して、携帯電話機１の構成を説明する。携帯電話機１は、いわゆるスマートフォンと言われる多機能電話機である。携帯電話機１は、携帯通信網である３Ｇ／４Ｇ通信機能、無線ＬＡＮ（Ｗｉ−Ｆｉ）通信機能、および、Ｂｌｕｅｔｏｏｔｈ（登録商標）通信機能を有している。携帯電話機１は、アプリケーションプログラムであるオーディオシステム制御プログラム７０を起動することにより、コントローラ１として機能し、ネットワーク３経由でオーディオシステムのオーディオ機器４と通信し、ユーザの操作に応じたコマンドメッセージをオーディオ機器４に送信してオーディオシステムを制御する。
【００２６】
携帯電話機１は、バス２６上に、制御部２０、操作部３０、メディアインタフェース３１、Ｗｉ−Ｆｉ通信回路３２、３Ｇ／４Ｇ通信回路３３、および、Ｂｌｕｅｔｏｏｔｈ（登録商標）通信部３４を有している。制御部２０は、ＣＰＵ２１、ＲＯＭ（フラッシュメモリ）２２、ＲＡＭ２３、画像プロセッサ２４および音声プロセッサ２５を含んでいる。画像プロセッサ２４には、ビデオＲＡＭ（ＶＲＡＭ）４０が接続され、ＶＲＡＭ４０には表示部４１が接続されている。表示部４１は液晶のディスプレイを含んでいる。ディスプレイには、待ち受け画面や電話番号などが表示される。また、コントローラ１として機能する場合は、オーディオ機器４を制御するための画面が表示される。音声プロセッサ２５には、Ｄ／Ａコンバータを含むアンプ４２が接続され、アンプ４２にはスピーカ１６が接続されている。
【００２７】
画像プロセッサ２４は、待ち受け画面や電話番号等などの種々の映像を生成するＧＰＵ（Ｇｒａｐｈｉｃｓ  Ｐｒｏｃｅｓｓｉｎｇ  Ｕｎｉｔ，グラフィックス・プロセッシング・ユニット）を備えている。画像プロセッサ２４は、オーディオシステム制御プログラム７０が起動された場合には、ＣＰＵ２１の指示に従ってオーディオコントローラの画像を生成し、これをＶＲＡＭ４０上に展開する。ＶＲＡＭ４０上に展開された画像は表示部４１に表示される。
【００２８】
音声プロセッサ２５は、通話音声をエンコード／デコードするＤＳＰ（Ｄｉｇｉｔａｌ  Ｓｉｇｎａｌ  Ｐｒｏｃｅｓｓｏｒ：デジタル・シグナル・プロセッサ）を有している。音声プロセッサ２５は、デコード／生成した音声をアンプ４２に出力する。アンプ４２は、この音声信号を増幅してスピーカ１６に出力する。
【００２９】
無線ＬＡＮ通信回路３２は、ルータ２との間でＩＥＥＥ８０２．１１ｇなどの規格で無線通信を行い、アクセスポイント３，７を介してオーディオ機器４と通信する。３Ｇ／４Ｇ通信回路３３は、携帯電話通信網を介して、音声通話およびデータ通信を行う。Ｂｌｕｅｔｏｏｔｈ通信部３４は、他のＢｌｕｅｔｏｏｔｈ対応機器と通信し、例えばオーディオ信号の送受信等を行う。
【００３０】
操作部３０は、表示部４１上に形成されたタッチパネル３１０（図８等参照）を含み、タッチパネル３１０上のタップ操作、フリック操作を検出する。オーディオシステム制御プログラム７０が起動されると、表示部４１には、セットアップボタン、スキャンボタンなどの複数の操作子が表示される。操作部３０は、タッチパネル３１０でユーザのタッチ操作およびその座標を検出し、どの操作子が操作されたかを判断する。
【００３１】
メディアインタフェース３１にはメモリカード１５が接続される。メモリカード１５は、たとえばマイクロＳＤカードである。オーディオシステム制御プログラム４５は、メモリカード１５またはＲＯＭ２２に保存される。この実施形態では、図２に示したように、オーディオシステム制御プログラム４５はメモリカード１５に保存されるものとする。なお、オーディオシステム制御プログラム４５は、３Ｇ／４Ｇまたは無線ＬＡＮのデータ通信によってダウンロードされてもよく、ＲＯＭ２２またはメモリカード１５に予め記憶されていてもよい。また、メモリカード１５には、オーディオシステムの構成を記憶する記憶エリア４６が設定される。
【００３２】
ＲＯＭ２２には、この携帯電話機１の通話やアプリケーションプログラムを実行するための基本プログラムが記憶されている。また、ＲＯＭ２２はフラッシュメモリであり、基本プログラムのほか、ダウンロードされたアプリケーションプログラムなどを記憶することも可能である。ＲＡＭ２３には、ＣＰＵ２０がオーディオシステム制御プログラム４５を実行する際に使用されるワークエリアが設定される。
【００３３】
次に図３を参照してオーディオ機器４の構成について説明する。オーディオ機器４は、制御部５０、オーディオ処理部５１および操作部５９を有するとともに、２つの無線ＬＡＮ通信部（ＲＦモジュール）５６、５７および有線ＬＡＮ通信部５８を有している。操作部５９はボリューム操作子（不図示）などの複数の操作子を有している。制御部５０は、ＣＰＵおよびメモリを含み、オーディオシステムプログラムを記憶している。制御部５０は、オーディオシステムプログラムにより、オーディオ処理部５１および無線ＬＡＮ通信部５６、５７、有線ＬＡＮ通信部５８の動作を制御する。これにより、オーディオ機器４は、オーディオソースにアクセスしてコンテンツを再生する再生デバイスとして機能する。制御部５０は、無線ＬＡＮ通信部５６または有線ＬＡＮ通信部５８およびネットワーク９を介して、楽曲配信サービスの配信サーバ６にアクセスし、ユーザ（コントローラ１）によって指定された局をダウンロードして再生する。
【００３４】
無線ＬＡＮ通信部５６は、ＩＥＥＥ８０２．１１ｇなどの無線ＬＡＮ規格で外部アクセスポイント３または上位オーディオ機器４の内部アクセスポイント４Ａと無線通信を行う。また、もう一つの無線ＬＡＮ通信部５７は、アクセスポイント（内部アクセスポイント４Ａ）として起動され、他のオーディオ機器（たとえばオーディオ機器４−２，４−３など）を有線ＬＡＮ２に中継する。また、無線ＬＡＮ通信部５７は、このオーディオ機器４のイニシャル接続時にもイニシャル接続用の仮アクセスポイントとして起動され、コントローラ１（携帯電話機１）と通信する。イニシャル接続時の動作は後述する。なお、２つの無線ＬＡＮ通信部５６、５７は、１つのハードウェアを時分割で動作させて実現してもよい。有線ＬＡＮ通信部５８は、ケーブルコネクタを有し、ＩＥＥＥ８０２．３などの通信規格で有線ＬＡＮ２−アクセスポイント３を介した通信を行う。アクセスポイント３には、コントローラ（携帯電話機）１が接続されており、制御部５０は、ネットワーク９を経由してコントローラ１と通信し、動作状態を送信したり、コマンドメッセージを受信したりする。
【００３５】
オーディオ処理部５１は、チューナ５２、オーディオ回路５３、パワーアンプ５４を有している。チューナ５２は、ＦＭ放送またはインターネットからオーディオ信号を受信してオーディオ回路５３に入力する。オーディオ回路５３は、入力されたオーディオ信号に対してイコライズ、音量調整などの処理を行ったのち、この処理されたオーディオ信号をパワーアンプ５４に出力する。パワーアンプ５４は入力されたオーディオ信号を増幅し、外部接続されているスピーカ５５に出力する。スピーカ５５は、入力されたオーディオ信号を音響として放音する。
【００３６】
なお、オーディオ機器４−１〜４−６は、それぞれ異なる機器であってよいが、通信機能およびオーディオ信号処理機能の基本的な構成は図３に示したものである。
【００３７】
図４、図５は、オーディオシステム１０を管理するテーブルの一例を示す図である。図４は、ネットワーク９における各オーディオ機器４の接続形態を管理するシステム管理テーブルである。また、図５は、オーディオシステム１０における各オーディオ機器４の動作を管理するオーディオ制御テーブルである。システム管理テーブルは、主としてルート機器４−１によってネットワーク接続の管理に用いられる。また、オーディオ制御テーブルは、主としてコントローラ１によって、オーディオソースの再生制御に用いられる。
【００３８】
システム管理テーブルは、オーディオシステム１０を構成する各オーディオ機器４（コンポーネント機器）の接続形態を記憶したものであり、オーディオシステム１０の構築時にコントローラ１が作成し、ルート機器４−１と共有する。オーディオ制御テーブルは、各オーディオ機器４の機能を記憶したものであり、オーディオシステム１０の構築時にコントローラ１が作成する。
【００３９】
システム管理テーブルでは、各コンポーネント機器は、各機器の機器ＩＤに対応づけて、上位側（子機側）／下位側（内部アクセスポイント側）のＭＡＣアドレス（すなわち無線ＬＡＮ通信部５６／５７のＭＡＣアドレス）、上位側／下位側のＩＰアドレス（すなわち無線ＬＡＮ通信部５６／５７のＩＰアドレス）、ルート機器４−１からの接続段数（ＨＯＰ数）、内部アクセスポイントの起動の有無、内部アクセスポイント４Ａに接続している下位機器の数（Ｃｈｉｌｄ数）などの情報を記憶している。
【００４０】
なお、各コンポーネント機器は、個別のＩＰアドレスを有しているが、このオーディオシステム１０は、マルチキャストグループとしてマルチキャストアドレスが設定されている。このマルチキャストアドレス宛に上記のシステム情報のＩＰパケットを送信することにより、オーディオシステム１０の全コンポーネント機器にこのシステム情報パケットを受信させることができる。なお、システム情報パケットを各コンポーネント機器のＩＰアドレス宛にユニキャストで送信してもよいが、マルチキャストで送信することによりットワーク９の負荷を小さくすることができる。
【００４１】
図５のオーディオ制御テーブルは、各機器の機器ＩＤに対応づけて、各コンポーネント機器の上位側ＩＰアドレス（無線ＬＡＮ通信部５６のＩＰアドレス）、機種、設置場所、グループ、サービス、ボリューム値および表示名称などの各種設定情報が記憶される。オーディオ制御テーブルの各欄とシステム管理テーブルの各欄とは機器ＩＤで対応づけられる。コントローラ１は、このオーディオ制御テーブルの内容に基づいてコントロール画面（図８、図９参照）を作成し、ユーザによる各コンポーネント機器の制御を受け付ける。設置場所は、オーディオ機器が設置されているルームを特定する情報である。図５ではルーム名が表示されているが、ルームＩＤで記憶してもよい。
【００４２】
サービスは、各オーディオ機器４が再生可能なオーディオソースを示す情報である。各オーディオ機器４は、そのハードウェア、ソフトウェアの機能により、再生可能なオーディオソースが異なっている。図５によれば、機器ＩＤ＝００のオーディオ機器（ルート機器）４−１は、ＤＶＤ、Ｒａｄｉｏ（ＦＭ放送、ネットラジオを含む）および３種類の楽曲配信サービス（ｎｅｔ  Ａ，ｎｅｔ  Ｂ，ｎｅｔ  Ｃ）を再生可能である。機器ＩＤ＝０１のオーディオ機器４−２は、ＤＶＤおよび２種類の楽曲配信サービス（ｎｅｔ  Ａ，ｎｅｔ  Ｂ）を再生可能である。機器ＩＤ＝０２のオーディオ機器４−３は、Ｒａｄｉｏ、Ｂｌｕｅｔｏｏｔｈおよび楽曲配信サービスｎｅｔ  Ａを再生可能である。機器ＩＤ＝０３のオーディオ機器４−４は、ＲａｄｉｏおよびＢｌｕｅｔｏｏｔｈを再生可能である。
【００４３】
オーディオ機器４が楽曲配信サービスの配信サーは６にアクセスするためには、アカウントが必要である。このため、オーディオ機器４は、制御部５０のメモリにサービスアカウントテーブル５０Ａを設け、このサービスアカウントテーブル５０Ａにアクセス可能な楽曲配信サービスのアカウント情報を記憶している。図６は、オーディオ機器４−１のアカウントテーブル５０Ａの例を示す図である。サービスアカウントテーブルには、アクセス可能な楽曲配信サービスごとに欄が設けられている。オーディオ機器４−１の場合には、３つの楽曲配信サービスｎｅｔ  Ａ，ｎｅｔ  Ｂ，ｎｅｔ  Ｃにアクセス可能であるため、サービスアカウントテーブル５０Ａには、それぞれのサービスに対応して３つの欄が設けられている。各楽曲配信サービスの欄には、そのサービスの配信サーバ６にアクセスするためのＵＲＬ、アカウント名、パスワードが記憶される。アカウント名およびパスワードは、暗号化されており、これをそのまま他のオーディオ機器４に転用することはできないようになっている。ｎｅｔ  Ａのアカウント名およびパスワードが空欄になっているのは、まだこの楽曲配信サービスへのアクセスの実績がなく、アカウント名およびパスワードが登録されていないためである。アカウント名およびパスワードの登録は、コントローラ１である携帯電話機１から行われる。
【００４４】
次に、図７のフローチャートおよび図８，図９のコントロール画面の例を参照して、楽曲配信サービスの楽曲を再生する手順について説明する。
【００４５】
図７（Ａ）は、楽曲配信サービスのアカウント登録手順を示すフローチャートである。オーディオシステム制御プログラム４５が起動されると、ネットワーク９上にあるオーディオシステム１０のオーディオ機器４を検索し、そのオーディオ機器を選択するためのルーム選択画面を表示部４１に表示する（Ｓ１：図８（Ａ））。ルーム選択画面は、図５のオーディオ制御テーブルおよび図４のシステム管理テーブルに基づき、ルーム（設置場所）を選択することでそのルームに設置されているオーディオ機器を選択する画面である。
【００４６】
図８（Ａ）の例では、３つのルーム選択ボタン９１〜９３が表示されている。ルーム選択ボタン９１は、リビングルームを選択するボタンであり、このボタンによりオーディオ機器４−１が選択される。ルーム選択ボタン９２は、キッチン（台所）を選択するボタンであり、このボタンによりオーディオ機器４−４が選択される。ルーム選択ボタン９３は、ベッドルームを選択するボタンであり、このボタンによりオーディオ機器４−３が選択される。ユーザがルーム選択ボタン９１〜９３のいずれかを操作（タップ）すると、その操作がタッチパネル３１０によって検出され、そのルームのオーディオ機器４が選択される。
【００４７】
ユーザによりルーム選択ボタン９１〜９３のいずれかがタップされ、ルームが選択されると（Ｓ２）、コントローラ１は、選択されたルーム（オーディオ機器）で再生可能なソース選択画面を表示する（Ｓ３：図８（Ｂ））。図８（Ｂ）の例は、ルーム選択ボタン９１のタップによりリビングルームが選択された場合のソース選択画面を示している。このソース選択画面では、リビングルームに設置されているオーディオ機器４−１で再生可能なソースを示すソース選択ボタン９４〜９８が表示されている。ソース選択ボタン９４はＤＶＤを選択するボタンである。ソース選択ボタン９５はＲａｄｉｏを選択するボタンである。ソース選択ボタン９６は楽曲配信サービスｎｅｔ  Ａを選択するボタンである。ソース選択ボタン９７は楽曲配信サービスｎｅｔ  Ｂを選択するボタンである。ソース選択ボタン９８は楽曲配信サービスｎｅｔ  Ｃを選択するボタンである。
【００４８】
ユーザによりソース選択ボタン９４〜９８のいずれかがタップされると（Ｓ４）、制御部２０は、そのソースを再生可能か、また、アカウント登録が必要な場合はアカウントを登録済であるかを判断する（Ｓ５）。ＤＶＤやＦＭラジオはアカウントの登録は不要である（Ｓ５でＹＥＳ）が、楽曲配信サービスおよび一部のネットラジオはアカウントの登録が必要である。選択されたソースのアカウントが既に登録されている場合には（Ｓ５でＹＥＳ）、そのオーディオソース（サービス）の再生処理に進む。オーディオソースからコンテンツを読み出して再生が開始されると表示部４1には、図８（Ｃ）に示すような再生画面（Ｎｏｗ  Ｐｌａｙｉｎｇ画面）が表示される。
【００４９】
選択されたソースのアカウントが未だ登録されていない場合には（Ｓ４でＮＯ）、制御部２０は、処理をそのオーディオソース（サービス）のアカウント登録処理に進める。たとえば、オーディオ機器４−１において、楽曲配信サービスｎｅｔ  Ａが選択された場合、図６に示すように、この楽曲配信サービスのアカウントは未だ登録されていないため、このアカウントを登録する処理が実行される。
【００５０】
以下、オーディオ機器４−１において、楽曲配信サービスｎｅｔ  Ａが選択された場合について説明する。制御部２０は、オーディオ機器４−１と通信する等により、オーディオ機器４−１に楽曲配信サービスｎｅｔ  Ａのアカウントが登録されていないことを確認すると、表示部４１に、図８（Ｄ）に示すアカウント登録画面を表示する（Ｓ６）。アカウント登録画面には、アカウントが未登録である旨のテキスト情報と、アカウント名（ユーザ名）入力エリア１０２およびパスワード入力エリア１０３が表示され、ユーザによるアカウント情報の入力を受け付ける（Ｓ７）。アカウント情報が入力されるとこの情報をアカウント情報バッファ２３Ａに保持する（Ｓ８）。そして、制御部２０は、このアカウント情報をオーディオ機器４−１に送信し（Ｓ９）、オーディオ機器４−１が、このアカウント情報で楽曲配信サービスｎｅｔ  Ａの配信サーバ６にアクセスして認証を受けるまで待機する（Ｓ１０）。この間、図８（Ｅ）に示すようにスピニング待機アイコンを表示して待機中であることをユーザに知らせる。オーディオ機器４−１から認証成功の返信があると（Ｓ１０でＹＥＳ）、アカウント登録が完了する。
【００５１】
以上の処理により、オーディオ機器４−１のアカウント登録が完了し、オーディオ機器４−１は、楽曲配信サービスｎｅｔ  Ａの楽曲を再生可能になったが、制御部２０は、表示部４１の表示を再生画面（Ｎｏｗ  Ｐｌａｙｉｎｇ画面）に移行させず、アカウント情報バッファ２３Ａに残っているアカウント情報を用いて、楽曲配信サービスｎｅｔ  Ａにアクセス可能であるが未だアカウント情報が登録されていないオーディオ機器４にこのアカウント情報を登録するアカウントコピー動作（図７（Ｂ））に進む。なお、この最初のカウント登録が失敗（配信サーバ６による認証エラー等）した場合には、図７（Ｂ）のアカウントコピー動作には進まない。
【００５２】
図７（Ｂ）はアカウントコピー処理を示すフローチャート、図９はアカウントコピー処理時のコントロール画面の例を示す図である。図７（Ａ）のアカウント登録処理を完了した制御部２０は、図７（Ｂ）の処理手順に進み、まず、オーディオシステム１０のなかで、図７（Ａ）で登録したものと同じ楽曲配信サービスにアクセス可能で且つ未だアカウントが登録されていないもの（以下、「登録待ち機器」とも言う）を検索する（Ｓ２１）。この検索は、ネットワーク９にユニキャストまたはブロードキャスト（マルチキャスト）で問い合わせメッセージを送信して各オーディオ機器４から返信をもらうようにすればよい。登録待ち機器が検索されると、そのオーディオ機器の名称がリスト化された追加登録画面を表示する（Ｓ２２：図９（Ａ））。図９（Ａ）の追加登録画面では、追加登録である旨の見出し、および、「アカウント未登録の機器が見つかりました。追加登録しますか？」等の文言を表示するとともに、発見されたオーディオ機器の識別名称が表示される機器表示欄１１１、１１２を表示する。機器表示欄１１１、１１２には、発見されたオーディオ機器の識別名称、および、各オーディオ機器の選択状態を確認する対応したチェックボックス１１１Ａ、１１１Ｂが表示されている。ここでは、識別名称として図４、図５のテーブルの機器ＩＤが表示されているが、識別名称はこれに限定されない。たとえば、オーディオ機器の製品名称、ルーム名などユーザがどのオーディオ機器かを識別可能なものであればどのようなものでもよい。
【００５３】
ユーザは、追加登録画面を見て、追加登録したいオーディオ機器があれば、その表示欄をタップして選択する（Ｓ２３）。図９（Ｂ）は、機器０１（オーディオ機器４−２）が選択された状態を示している。この状態でユーザがＯＫボタン１１３をタップすると、アカウント情報バッファ２３Ａに記憶されているアカウント情報を選択されたオーディオ機器４に送信して、そのオーディオ機器４に配信サーバ６への登録を行わせる（Ｓ２４）。オーディオ機器４から登録処理の結果を受信するまでＳ２５で待機する。Ｓ２５では、表示部４１に図９（Ｃ）に示すスピニング待機アイコン１１１Ｂを表示して待機中である旨をユーザに知らせている。アカウントを追加登録するオーディオ機器から登録成功の結果（この時点でアカウント情報はオーディオ機器４の制御部５０のメモリ内サービスアカウントテーブル５０Ａに更新記憶されている）を受信するとその結果を表示し（Ｓ２６：図９（Ｄ））、アカウント情報バッファ２３Ａの内容を消去して（Ｓ２７）、この楽曲配信サービスのコンテンツ選択画面に進む。
【００５４】
なお、図９の例では選択されたオーディオ機器が１つであるが、Ｓ２３で複数のオーディオ機器が選択された場合、選択された各オーディオ機器ごとにスピニング待機アイコンが表示され、登録結果の返信があったオーディオ機器から順に、登録に成功した旨のチェックマーク１１１Ｃまたは登録に失敗した旨の×マークなどが表示される。
【００５５】
次に、図１０のフローチャートを参照して、オーディオ機器４のアカウント追加登録時の動作について説明する。オーディオ機器４の制御部５０は、コントローラ１から問い合わせがあると（Ｓ３１）、問い合わせ対象の楽曲配信サービスにアクセス可能で且つアカウントが未登録であるか、すなわち、問い合わせの内容に該当するかを判断する（Ｓ３２）。該当しない場合には（Ｓ３２でＮＯ）、何もしないで動作を終了する。
【００５６】
問い合わせの内容に該当する場合には（Ｓ３２でＹＥＳ）、その旨をコントローラ１に返信する（Ｓ３３）。こののちアカウント情報を受信するまでＳ３４で待機する。一定時間待機してもアカウント情報が送られてこない場合には（Ｓ３４でＮＯ）、追加登録の対象機器としてユーザに選択されなかったと判断してそのまま動作を終了する。
【００５７】
コントローラ１からアカウント情報が送られてきた場合は（Ｓ３４でＹＥＳ）、そのアカウント情報を楽曲配信サービスの配信サーバ６に送信して認証を試みる（Ｓ３５）。配信サーバ６から認証成功の返信を受信した場合は（Ｓ３６でＹＥＳ）、コントローラ１に登録完了の旨を返信し、アカウント情報を元にサービスアカウントテーブル５０Ａを更新記憶して（Ｓ３７）動作を終了する。一方、配信サーバ６から認証失敗の返信を受信した場合は（Ｓ３６でＮＯ）、コントローラ１に登録失敗の旨を返信して（Ｓ３８）動作を終了する。
【００５８】
図１１は、コントローラ１およびオーディオ機器４による楽曲配信サービスを用いた楽曲再生の手順を示す図である。この手順は、図７（Ａ）のＳ５でアカウントが登録されていた場合、および、図７（Ｂ）のＳ２７の処理が完了した後に実行される。まず、コントローラ１が配信サーバ６に対して再生可能なコンテンツが記載されたコンテンツリストを要求する（Ｓ５１）。配信サーバ６は、この要求に応じてコントローラ１にコンテンツリストを返信する（Ｓ７１）。コントローラ１は、受信したコンテンツリストを表示部４１に表示して（Ｓ５２）、ユーザによる選択を受け付ける（Ｓ５３）。コンテンツが選択されると、コントローラ１は、所定の（再生機器として指定している）オーディオ機器４に対して、選択されたコンテンツの再生を指示する（Ｓ５４）。
【００５９】
再生を指示されたオーディオ機器４は、アカウントテーブル５０Ａに記憶されたアカウント情報および選択されたコンテンツのコンテンツＩＤで配信サーバ６にアクセスする（Ｓ６１）。配信サーバ６は、このアクセスが有効であった場合には（認証成功）、その旨をオーディオ機器４に返信し(Ｓ７２）、選択されたコンテンツの再生・送信を開始する（Ｓ７３）。なお、図１１の動作がスタートする前に、オーディオ機器４が、配信サーバ６における認証を予め済ませてログイン状態にしておき、Ｓ６１ではコンテンツＩＤのみ送信するようにしてもよい。
【００６０】
オーディオ機器４は、配信サーバ６から認証成功の返信を受信するとコントローラ１に対して再生開始を通知する（Ｓ６２）。これに応じてコントローラ１は、図８（Ｃ）に示すような再生中画面（ＮｏｗＰｌａｙｉｎｇ画面）を表示する（Ｓ５５）。また、オーディオ機器４は、配信サーバ６から再生されたコンテンツ（オーディオ信号）が送信されてくると、これを受信して放音を開始する（Ｓ６３）。
【００６１】
図８（Ｃ）に示すように、再生中画面には、音量や再生停止／一時停止などの各種操作子が表示されており、ユーザはこれをタップまたはスライド操作して再生を制御することが可能である。ユーザによって何らかの再生操作が行われると（Ｓ５６）、コントローラ１はこの操作内容をコマンドに編集してオーディオ機器４に送信する（Ｓ５７）。オーディオ機器４は、コントローラ１からコマンドを受信すると、再生中のコンテンツに対してそのコマンドに応じた制御を行う（Ｓ６４）。
【００６２】
なお、図７（Ｂ）のアカウントコピー（追加登録）フローチャートおよび図９のコントロール画面の例では、Ｓ２２で登録待ち機器をリスト表示し、ユーザにどの機器にアカウント情報を追加登録するかを選択させるようにしたが、ユーザに選択を求めず、発見された全ての登録待ち機器に対してアカウント情報を登録するようにしてもよい。
【００６３】
また、アカウント情報はオーディオ機器４の制御部５０のメモリ内サービスアカウントテーブル５０Ａに更新記憶された後、コントローラ１のアカウント情報バッファ２３Ａの内容を消去していたが、オーディオ機器４においてはコントローラ１のアカウント情報バッファ２３Ａの内容が消去されるまで、アカウント情報を他の場所で一時記憶しておき、アカウント情報バッファ２３Ａの内容が消去されるのを条件に制御部５０のメモリ内サービスアカウントテーブル５０Ａに更新記憶するようにしてもよい。
【００６４】
また、楽曲配信サービスが複数のアカウントを登録可能なものであれば、既にアカウントが登録されていても、アカウント数に余裕があり、且つ今回登録されるアカウントが未登録であれば登録待ち機器として、Ｓ２２で表示されるリストに加えてもよい。また、この場合に、リストに表示される登録待ち機器のうち、最初のアカウント登録となるオーディオ機器についてはデフォルトで選択状態で表示し、２つ目以後のアカウント登録となるオーディオ機器についてはデフォルトで選択解除状態で表示するようにしてもよい。また、さらに最初のアカウント登録となるオーディオ機器については選択状態を解除できないようにしてもよい。
【００６５】
この実施形態では、楽曲配信サービスのアカウントを例にあげて説明したが、登録するアカウントはこれに限定されない。たとえば、動画配信サイトのアカウントやインターネットラジオのアカウントなどであってもよい。
【００６６】
なお、この発明のオーディオ機器は、映像再生機能を持つオーディオ・ビジュアル（ＡＶ）機器であってもよく、これらが混在するシステムを含む。また、この実施形態においては、制御端末装置を、オーディオシステム制御プログラム７０（アプリケーションプログラム）がインストールされた携帯電話機１で実現しているが、それ以外の構成であってもよい。たとえば、タブレットにオーディオシステム制御プログラム７０をインストールしたものであってもよく、専用の端末装置であってもよい。
【符号の説明】
【００６７】
１  携帯電話機（コントローラ）
２  有線ＬＡＮ
３  アクセスポイント（外部アクセスポイント）
４（４−１〜４−６）  オーディオ機器
９  ネットワーク
１０  オーディオシステム
２３Ａ  アカウント情報バッファ
【図１】
0006515766.tif 000002
【図２】
0006515766.tif 000003
【図３】
0006515766.tif 000004
【図４】
0006515766.tif 000005
【図５】
0006515766.tif 000006
【図６】
0006515766.tif 000007
【図７】
0006515766.tif 000008
【図８】
0006515766.tif 000009
【図９】
0006515766.tif 000010
【図１０】
0006515766.tif 000011
【図１１】
0006515766.tif 000012